(57)【要約】  情報設定装置、監視装置、方法及び通信システムが提供される。情報設定装置は、ユーザ装置に設定情報を送信するものであって、設定情報は制御チャネルに対応する物理リソース及び／又は制御チャネルを伝送するビーム対のグループ分け情報を含む第一送信ユニットを含む。ネットワーク装置側で、制御チャネルに対応する物理リソース及び／又は制御チャネルを伝送するビーム対のグループ分け情報を含む設定情報を送信し、ユーザ装置側で、該設定情報の内容に基づいて又は該設定情報の内容及び他の設定情報に基づいて、制御チャネルのグループに対応する物理リソース及び／又はビーム対の伝送状況を監視し、それに対応する制御チャネルの伝送状況を取得し、そして、任意の１グループの制御チャネルに対応する物理リソース及び／又はビーム対の伝送失敗に応じてビーム回復メカニズムをトリガーすることで、各種の伝送失敗の場合に柔軟且つタイムリーに対応し得る。
2020515103.tif 000002
【特許請求の範囲】
【請求項１】
チャネル設定装置であって、
ユーザ装置に設定情報を送信する第一送信ユニットを含み、
前記設定情報は、制御チャネルに対応する物理リソース及び／又は制御チャネルを伝送するビーム対のグループ分け情報を含む、装置。
【請求項２】
請求項1に記載の装置であって、
前記物理リソースは、前記制御チャネルの所在する制御リソース集合又は前記制御チャネルの復調参照信号の所在する物理リソースを含む、装置。
【請求項３】
請求項1に記載の装置であって、
前記第一送信ユニットは、無線リソース制御層又は媒体アクセス制御層の制御エレメント、及び下りリンク制御情報により、前記ユーザ装置に前記設定情報を送信し、
前記下りリンク制御情報は、前記無線リソース制御層又は媒体アクセス制御層の制御エレメントにより送信されるグループ分け情報のうちから、少なくとも１グループの物理リソース及び／又は制御チャネルを伝送するビーム対を選択して前記ユーザ装置に対して設定を行うために用いられる、装置。
【請求項４】
請求項1に記載の装置であって、
制御チャネルの類型、同一制御チャネルの異なるシンボル内での伝送の状況、又は前記制御チャネルを伝送するビーム対におけるビームの性質に基づいて、グループ分けを行い、前記グループ分け情報を得る第一設定ユニットをさらに含む、装置。
【請求項５】
請求項1に記載の装置であって、
前記ユーザ装置からビーム回復リクエスト情報を受信する第一受信ユニット；及び
前記ビーム回復リクエスト情報に基づいて、伝送失敗が生じたビーム対及び／又は物理リソースを再び設定する第二設定ユニットをさらに含む、装置。
【請求項６】
監視装置であって、
予め取得された、制御チャネルに対応する物理リソース及び／又は制御チャネルを伝送するビーム対のグループ分け情報を含む設定情報に基づいて、それぞれ、制御チャネルに対応する物理リソース及び／又は制御チャネルを伝送するビーム対を監視する監視ユニットを含む、装置。
【請求項７】
請求項6に記載の装置であって、
前記物理リソースは、前記制御チャネルの所在する制御リソース集合又は前記制御チャネルの復調参照信号の所在する物理リソースを含む、装置。
【請求項８】
請求項6に記載の装置であって、
前記監視ユニットが任意の１グループの制御チャネルに対応する物理リソース及び／又は任意の１グループの前記制御チャネルを伝送するビーム対の伝送失敗を検出したときに、ネットワーク装置にビーム回復リクエスト情報を送信する第二送信ユニットをさらに含む、装置。
【請求項９】
請求項8に記載の装置であって、
前記ビーム回復リクエスト情報を送信するリソース又は周期又はシーケンスは、伝送失敗が生じた物理リソース及び／又はビーム対に対応する、装置。
【請求項１０】
請求項9に記載の装置であって、
前記監視ユニットが任意の１グループの中の一部の物理リソース及び／又は一部のビーム対の伝送失敗を検出したときに、ネットワーク装置に一部のビーム回復リクエスト情報を送信する第三送信ユニットをさらに含む、装置。
【請求項１１】
ネットワーク装置及びユーザ装置を含む通信システムであって、
前記ネットワーク装置は、請求項1〜5のうちの任意の1項に記載のチャネル設定装置を含み、
前記ユーザ装置は、請求項6〜10のうちの任意の1項に記載の監視装置を含む、通信システム。
【発明の詳細な説明】
【技術分野】
【０００１】
本発明は、情報技術分野に関し、特に、情報設定装置、監視装置、方法及び通信システムに関する。
【背景技術】
【０００２】
大規模MIMO（Multiple-Input  Multiple-Output）技術が、新無線（NR、new  radio）システムのキー技術であり、それは、6GHz以下及び6GHz以上の周波数範囲の研究を含む。伝送周波数範囲の増加に伴い、伝送中に生じるフェージング及び損失もそれ相応に増大する。ビームフォーミング（beamforming）技術が、フェージングを有効に補償することができるため、大規模MIMO中のキー技術となっている。
【０００３】
今のところ、ビームフォーミング技術は、アナログビームフォーミング（ABF、analog  beamforming）、デジタルビームフォーミング（digital  beamforming、DBF）、及びアナログデジタル混合ビームフォーミング（HBF、hybrid  beamforming）を含む。ABFでは、ビームフォーミングは、アナログ域で行われ、DBFに比べ、実現複雑度が低いが、全体の時間領域シンボル上でのビームフォーミング因子（factor）が全て同じある。ユーザの数が比較的大きいときに、ABFは、スケジューリング又はユーザのパフォーマンスに一定の制限を与えることがある。DBFでは、ビームフォーミングは、デジタル域で行われ、各時間周波数域上でのリソースエレメントは、全て、ニーズに応じてビームフォーミング因子を調整することができるが、複雑度がアンテナの数の増加に伴って増大するので、DBFは、大規模MIMOシステムに適しない。HBFは、ABFとDBFのパフォーマンス及び処理複雑度の面においての折衷案であり、アナログ域でビームフォーミングを行うことができるだけでなく、デジタル域でビームフォーミングを行うこともできる。しかし、HBFは、依然として、アナログ域でのビームフォーミング処理に制限され、各シンボル上でサポートするビームの数が限られている。
【０００４】
NRの研究では、伝送の信頼性を向上させるために、物理チャネル（例えば、ブロードキャストチャネル、データチャネル、制御チャネルなど）のために複数のビームを同時に送信するビームフォーミング技術が許される。しかし、マルチビームのビームフォーミング技術では、高周波数範囲の伝送特性、移動ステーションの回転、障碍物の遮蔽などが原因で、依然として、伝送失敗の場合が存在する。このような場合、サービングビームを調整することで、物理層及び媒体アクセス制御（MAC、Media  Access  Control）層において伝送失敗の問題を解決し得る可能性があるので、NRには、次のようなビーム回復メカニズムが導入されており、即ち、ネットワーク装置（例えば、基地局）がユーザ装置のために、監視される物理リソース及び／又は該物理リソースが監視するビーム対を設定し、ユーザは、設定される物理リソースに基づいて、制御チャネルのビーム対の伝送状況を監視する。ユーザ装置（User  Equipment、UE）は、制御チャネル（例えば、NR-PDCCH、NR-  Physical  Downlink  Control  Channel）の伝送失敗を検出した場合、上りリンク信号を送信することで、ネットワーク装置（例えば、gNBのような基地局）に現在のリンク伝送失敗を通知することができ、これにより、基地局は、それ相応に、ユーザ装置のために、新しいサービングビームを伝送の回復のために選択することができる。
【０００５】
なお、上述の背景技術についての紹介は、本発明の技術案を明確且つ完全に説明し、また、当業者がそれを理解しやすいためのものである。これらの技術案は、本発明の背景技術の一部に記述されているため、当業者にとって周知であると解釈すべきではない。
【発明の概要】
【発明が解決しようとする課題】
【０００６】
幾つかの場合、ABF又はHBFにおいて同時にサポートするビームの数が限られているため、ユーザの数が比較的大きい場合、各スケジューリングユニットが複数のシンボルを制御シグナリングの伝送のために含み、且つ各シンボルのビーム方向が異なる可能性がある。例えば、同一スケジューリングユニットには、複数の制御チャネル類型、例えば、共通（common）類型（全てのUEのためのもの）、グループ共通（group  common）類型（１グループのUEのためのもの）、特定UE類型（特定のUEのためのもの）などが存在する可能性がある。各制御チャネル類型の信頼性の要求が異なるため、例えば、共通類型又はグループ共通類型の制御チャネルが、特定UE類型の制御チャネルに比べ、より高い信頼性を要するため、ビームは、比較的に広く、又は、よりロバストな伝送スキームを採用することがある。一方、特定UE類型の制御チャネルの所在するシンボルがサービングするユーザの数が比較的小さいため、比較的狭いビームを採用することで、受信信号強度を増加させることができる。よって、両者が設定したビーム対は、異なる可能性がある。また、１つのみの制御チャネル類型があるときに、例えば、特定UE類型の制御チャネルのみがあるときに、依然として、同一ユーザの制御チャネルが異なるシンボル内で伝送され、且つスケジューリング及びビームフォーミングの制限のため、異なるシンボルが異なるビーム対を採用する可能性がある。或いは、同一スケジューリングユニットにおいて、同一ユーザの制御チャネルは、異なるコードブック集合内のビーム、例えば、比較的広いビームを有するコードブック集合及び比較的狭いビームを有するコードブック集合の中のビーズを使用する可能性がある。発明者は、このような場合、監視される物理リソース及び／又はビーム対を設定するだけでも、ビーム回復メカニズムをトリガーせず、一部のシンボルのビーム失敗を引き起こすことがあるということを発見した。
【０００７】
また、発明者は、次のようなことも発見した。即ち、このような場合、NRに導入されている上述のビーム回復メカニズムに従って、ネットワーク装置が、監視される物理リソース及び／又はビーム対のみを設定すれば、UEは、設定された全ての物理リソース及び／又はビームを全体として見なし、それがビーム失敗トリガー条件を満足したときにのみビーム回復リクエストを送信し、ある類型の制御チャネルに伝送失敗が生じたときにビーム回復メカニズムをタイムリーにトリガーすることができない。
【０００８】
また、NR-PDCCHの監視設定情報が上位層シグナリング上で伝送されるときに、UEのために1グループの監視情報を設定することは、スケジューリングの柔軟性に影響を与えることもある。
【０００９】
本発明の実施例では、情報設定装置、監視装置、方法及び通信システムが提供され、ネットワーク装置側で、制御チャネルに対応する物理リソース及び／又は制御チャネルを伝送するビーム対のグループ分け情報を含む設定情報を送信し、ユーザ装置側で、該設定情報の内容に基づいて、又は、該設定情報の内容及び他の設定情報に基づいて、制御チャネルのグループに対応する物理リソース及び／又はビーム対の伝送状況を監視し、それに対応する制御チャネルの伝送状況を取得し、そして、任意の1グループの制御チャネルに対応する物理リソース及び／又はビーム対の伝送失敗に応じてビーム回復メカニズムをトリガーすることにより、各種の伝送失敗の場合に柔軟且つタイムリーに対応することができる。
【課題を解決するための手段】
【００１０】
本発明の実施例の第一側面によれば、チャネル設定装置が提供され、前記装置は、ユーザ装置に設定情報を送信する第一送信ユニットであって、前記設定情報は、制御チャネルに対応する物理リソース及び／又は制御チャネルを伝送するビーム対のグループ分け情報を含むものを含む。
【００１１】
本発明の実施例の第二側面によれば、監視装置が提供され、前記装置は、監視ユニットであって、予め取得された、制御チャネルに対応する物理リソース及び／又は制御チャネルを伝送するビーム対のグループ分け情報を含む設定情報に基づいて、それぞれ、制御チャネルに対応する物理リソース及び／又は制御チャネルを伝送するビーム対を監視するものを含む。
【００１２】
本発明の実施例の第三側面によれば、通信システムが提供され、それは、ネットワーク装置及びユーザ装置を含み、そのうち、前記ネットワーク装置は、本発明の実施例の第一側面に記載の装置を含み、前記ユーザ装置は、本発明の実施例の第二側面に記載の装置を含む。
【００１３】
本発明の実施例の第四側面によれば、情報設定方法が提供され、前記方法は、ユーザ装置に設定情報を送信することを含み、前記設定情報は、制御チャネルに対応する物理リソース及び／又は制御チャネルを伝送するビーム対のグループ分け情報を含む。
【００１４】
本発明の実施例の第五側面によれば、監視方法が提供され、前記方法は、予め取得された、制御チャネルに対応する物理リソース及び／又は制御チャネルを伝送するビーム対のグループ分け情報を含む設定情報に基づいて、それぞれ、制御チャネルに対応する物理リソース及び／又は制御チャネルを伝送するビーム対を監視することを含む。
【００１５】
本発明の実施例の第六側面によれば、コンピュータ可読プログラムが提供され、そのうち、情報設定装置又はネットワーク装置中で前記プログラムを実行するときに、前記プログラムは、前記情報設定装置又はネットワーク装置に、本発明の実施例の第四側面に記載の情報設定方法を実行させる。
【００１６】
本発明の実施例の第七側面によれば、コンピュータ可読プログラムを記憶した記憶媒体が提供され、そのうち、前記コンピュータ可読プログラムは、情報設定装置又はネットワーク装置に、本発明の実施例の第四側面に記載の情報設定方法を実行させる。
【００１７】
本発明の実施例の第八側面によれば、コンピュータ可読プログラムが提供され、そのうち、監視装置又はユーザ装置中で前記プログラムを実行するときに、前記プログラムは、前記監視装置又はネットワーク装置に、本発明の実施例の第五側面に記載の監視方法を実行させる。
【００１８】
本発明の実施例の第九側面によれば、コンピュータ可読プログラムを記憶した記憶媒体が提供され、そのうち、前記コンピュータ可読プログラムは、監視装置又はユーザ装置に、本発明の実施例の第五側面に記載の監視方法を実行させる。
【００１９】
本発明の有益な効果は、次の通りであり、即ち、ネットワーク装置側で、制御チャネルに対応する物理リソース及び／又は制御チャネルを伝送するビーム対のグループ分け情報を含む設定情報を送信し、ユーザ装置側で、該設定情報の内容に基づいて、又は、該設定情報の内容及び他の設定情報に基づいて、制御チャネルのグループ分けに対応する物理リソース及び／又はビーム対の伝送状況を監視し、それに対応する制御チャネルの伝送状況を取得し、そして、任意の1グループの制御チャネルに対応する物理リソース及び／又はビーム対の伝送失敗に応じてビーム回復メカニズムをトリガーすることにより、各種の伝送失敗の場合に柔軟且つタイムリーに対することができる。
【００２０】
後述の説明及び図面を参照することで、本発明の特定の実施形態を詳しく開示し、本発明の原理を採用し得る態様を示す。なお、本発明の実施形態は、範囲上ではこれらによって限定されない。添付した特許請求の範囲内であれば、本発明の実施形態は、様々な変更、修正及び代替によるものを含んでも良い。
【００２１】
また、１つの実施方式について説明した及び／又は示した特徴は、同じ又は類似した方式で１つ又は複数の他の実施形態に用い、他の実施形態中の特徴と組み合わせ、又は、他の実施形態中の特徴を置換することもできる。
【００２２】
なお、「含む／有する」のような用語は、本明細書に使用されるときに、特徴、要素、ステップ、又はアセンブルの存在を指すが、１つ又は複数の他の特徴、要素、ステップ、又はアセンブリの存在又は付加を排除しないということも指す。
【図面の簡単な説明】
【００２３】
本発明の１つの図面又は１つの実施形態に記載の要素及び特徴は、１つ又は複数の他の図面又は実施形態に示した要素及び特徴と組み合わせることができる。また、図面では、類似した符号は、幾つの図面中の対応する部品を示し、複数の実施形態に用いる対応部品を示すためにも用いられる。
【図１】本発明の実施例における通信システムを示す図である。
【図２】本発明の実施例1における情報設定方法を示す図である。
【図３】本発明の実施例2における監視方法を示す図である。
【図４】本発明の実施例3における情報の設定及び該情報による監視方法を示す図である。
【図５】本発明の実施例4における情報設定装置を示す図である。
【図６】本発明の実施例5における監視装置を示す図である。
【図７】本発明の実施例におけるネットワーク装置の構成図である。
【図８】本発明の実施例におけるユーザ装置のシステム構成図である。
【発明を実施するための形態】
【００２４】
添付した図面及び以下の説明を参照することにより、本発明の前述及び他の特徴が明らかになる。なお、明細書及び図面では、本発明の特定の実施形態を開示しているが、それは、本発明の原理を採用し得る一部のみの実施形態を示し、理解すべきは、本発明は、記載されている実施形態に限定されず、即ち、本発明は、添付した特許請求の範囲内での全ての変更、変形及び代替によるものも含むということである。
【００２５】
本発明の実施例では、用語“通信ネットワーク”又は“無線通信ネットワーク”は、次のような任意の通信規格に準ずるネットワークを指しても良く、例えば、LTE（LTE、Long  Term  Evolution）、LTE-A（LTE-Advanced）、WCDMA(登録商標)（Wideband  Code  Division  Multiple  Access）、HSPA（High-Speed  Packet  Access）などである。
【００２６】
また、通信システム中の装置間の通信は、任意の段階の通信プロトコルに従って行われても良く、例えば、次のような通信プロトコルを含んでも良いが、それに限定されず、即ち、1G（generation）、2G、2.5G、2.75G、3G、4G、4.5G及び将来の5G、新無線（NR、New  Radio）など、及び／又は、その他の従来の又は将来に開発される通信プロトコルである。
【００２７】
本発明の実施例では、用語“ネットワーク装置”は、例えば、通信システム中の、端末装置を通信ネットワークに接続し、該端末装置にサービスを提供する装置を指す。ネットワーク装置は、次のようなものを含んでも良いが、それに限定されず、即ち、基地局（BS、Base  Station）、アクセスポイント（AP、Access  Point）、送受信ポイント（TRP、Transmission  Reception  Point）、ブロードキャスト送信機、モバイル管理エンティティ（MME、Mobile  Management  Entity）、ネットワークゲートウェイ、サーバー、無線ネットワーク制御器（RNC、Radio  Network  Controller）、基地局制御器（BSC、Base  Station  Controller）などである。
【００２８】
そのうち、基地局は、次のようなものを含んでも良いが、それに限定されず、即ち、ノードB（NodeB又はNB）、進化ノードB（eNodeB又はeNB）及び5G基地局（gNB）などであり、さらにRRH（Remote  Radio  Head）、RRU（Remote  Radio  Unit）、リレー（relay）又は低パワーノード（例えば、femto、picoなど）を含んでも良い。また、用語“基地局”は、それらの一部又は全ての機能を含んでも良く、各基地局は、特定の地理の領域に対して通信カバレッジを提供することができる。用語“セル”が指すのは、基地局及び／又はそのカバーする領域であっても良い、これは、該用語のコンテキストによるものである。
【００２９】
本発明の実施例では、用語“ユーザ装置”（UE、User  Equipment）又は“端末装置”（TE、Terminal  Equipment）は、例えば、ネットワーク装置により通信ネットワークにアクセスし、そして、ネットワークからのサービスを受ける装置を指す。ユーザ装置は、固定したもの又は移動するものであっても良く、また、移動ステーション（MS、Mobile  Station）、端末、ユーザステーション（SS、Subscriber  Station）、アクセス端末（AT、Access  Terminal）、ステーションなどとも称される。
【００３０】
そのうち、ユーザ装置は、次のようなものを含んでも良いが、それに限定されず、例えば、携帯電話（Cellular  Phone）、PDA（Personal  Digital  Assistant）、無線モデム、無線通信装置、携帯装置、機器型通信装置、ラップトップコンピュータ、コードレス電話機、スマートフォン、スマートウォッチ、デジタルカメラなどである。
【００３１】
また、例えば、IoT（Internet  of  Things）などのシナリオでは、ユーザ装置は、さらに、監視又は測定を行う機器又は装置であっても良く、例えば、次のようなものを含んでも良いが、それに限定されず、即ち、機器型通信（MTC、Machine  Type  Communication）端末、車載通信端末、D2D（Device  to  Device）端末、M2M（Machine  to  Machine）端末などである。
【００３２】
制御チャネル（CCH、Control  Channel）は、制御シグナリングを伝送するためのものであり、そのうち、物理下りリンク制御チャネル（PDCCH、Physical  Downlink  Control  Channel）は、よくある制御チャネルの１つであり、それは、スケジューリング及び他の制御情報を搬送するために用いられる。本発明の実施例では、NRシステムのPDCCH（NR-PDCCH）を例として説明するが、本発明の実施例は、これに限定されない。
【００３３】
以下、例を挙げて本発明の実施例のシナリオについて説明するが、本発明の実施例は、これに限定されない。
【００３４】
図1は、本発明の実施例における通信システムを示す図であり、ユーザ装置及びネットワーク装置を例とする場合を示す。図1に示すように、通信システム100は、複数のネットワーク装置101及び複数のユーザ装置102を含んでも良い。図1では、ネットワーク装置が複数あり、ユーザ装置が１つある例を示しているが、ネットワーク装置は、１つであっても良く、ユーザ装置は、複数であっても良く、その数は、実際のニーズに応じて設定されても良い。
【００３５】
本発明の実施例では、ネットワーク装置101とユーザ装置102との間は、従来のトラフィック又は将来実施可能なトラフィックを行うことができる。例えば、これらのトラフィックは、eMBB（enhanced  Mobile  Broadband）、mMTC（massive  Machine  Type  Communication）、URLLC（Ultra-Reliable  and  Low-Latency  Communication）などを含むが、これらに限定されない。
【実施例１】
【００３６】
本発明の実施例は、情報設定方法を提供し、該方法は、ネットワーク装置側に応用される。図2は、本発明の実施例1の情報設定方法を示す図である。図2に示すように、該方法は、以下のステップを含む。
【００３７】
ステップ201：ユーザ装置に設定情報を送信し、前記設定情報は、制御チャネルに対応する物理リソース及び／又は制御チャネルを伝送するビーム対のグループ分け情報を含む。
【００３８】
本実施例では、設定情報中の物理リソース及び／又はビームは、ユーザ装置が監視・測定を行うためのものである。
【００３９】
本実施例では、該設定情報は、ユーザ装置側で、制御チャネルのグループに対応する物理リソース及び／又はビーム対を監視するために用いられ、例えば、各グループの制御チャネルの、現在に設定される物理リソース及び／又はビーム対の下での伝送状態を監視測定する。本実施例では、該制御チャネルは、任意の種類の制御チャネルであっても良く、例えば、該制御チャネルは、NRシステムのPDCCH（NR-PDCCH）である。例えば、該制御チャネルは、セル共通制御チャネル、グループユーザ共通制御チャネル、ユーザ固有（user-specific）制御チャネルなどである。
【００４０】
本実施例では、例えば、該物理リソースは、前記制御チャネルの所在する制御リソース集合（control  resource  set）、又は、前記制御チャネルの復調参照信号の所在する物理リソースを含む。しかし、本発明の実施例は、これらの物理リソースに限定されず、それは、他の物理リソース、例えば、他のチャネル又は他の信号の所在する物理リソースであっても良い。
【００４１】
例えば、図2に示すように、オプションとして、ステップ201の前に、該方法は、さらに、以下のステップを含んでも良い。
【００４２】
ステップ202：制御チャネルの類型、同一制御チャネルの異なるシンボル内での伝送の状況、又は該制御チャネルを伝送するビーム対におけるビームの性質に基づいて、グループ分けを行い、該グループ分け情報を得る。
【００４３】
例えば、制御チャネルの類型、同一制御チャネルの異なるシンボル内での伝送の状況、又は制御チャネルを伝送するビーム対におけるビームの性質に基づいて、グループ分けを行うことで、該グループ分け情報を取得することができる。
【００４４】
例えば、制御チャネルの特徴又はビームの特徴に基づいてグループ分けを行い、監視待ちの物理リソース及び／又は監視待ちの、該制御チャネルを伝送するビーム対を、制御チャネルのグループに対応させることができる。例えば、制御チャネルの類型に基づいてグループ分けを行い、異なる類型の制御チャネルのために、即ち、異なるグループの制御チャネルのために、異なる監視待ちの物理リソース及び／又は監視待ちの、該制御チャネルを伝送するビーム対を設定しても良く；同一制御チャネルの異なる一部のために、即ち、異なるグループの制御チャネルのために、異なる監視待ちの物理リソース及び／又は監視待ちの、該制御チャネルを伝送するビーム対を設定しても良く；制御チャネルを伝送するビーム対におけるビームの幅に基づいて、制御チャネルに対してグループ分けを行い、幅が広いビームに関連するビーム対と幅が狭いビームに関連するビーム対を異なるグループに分けても良い。本実施例では、例えば、該設定情報が制御チャネルに対応する物理リソース及び／又は監視待ちビーム対のグループ分け情報を含むときに、該設定情報は、例えば、“グループの数及び／又はグループの順番号＋グループの順番号に対応する該グループ内の物理リソースの順番号及び／又はグループの順番号に対応する監視待ちビーム対の順番号”と表されても良い。
【００４５】
本実施例では、該設定情報の送信は、物理層（層1）及び／又は媒体アクセス制御層（MAC層、層2）及び／又は無線リソース制御層（RRC層、層3）で完成することができる。例えば、MAC層又はRRC層の制御エレメント（CE、control  element）により、ユーザ装置に該設定情報を送信しても良く；また、MAC層又はRRC層の制御エレメント及び下りリンク制御情報（DCI、Downlink  Control  Information）によりユーザ装置に該設定情報を送信しても良い。
【００４６】
例えば、MAC層又はRRC層のCEにより初期の設定情報を送信し、ユーザ装置のフィードバック又は他の原因に基づいて該設定情報を更新する必要があるときに、DCIにより更新後の設定情報を送信しても良く、複数のグループの設定情報のうちから、さらに少なくとも１グループの物理リソース及び／又は制御チャネルを伝送するビーム対を選択してユーザ装置に対して設定を行うことを含む。
【００４７】
例えば、MAC層のCEにより、１つの初期の制御リソース集合を設定しても良く、DCIは、MAC層のCEにより設定される該制御リソース集合上で該設定情報を送信する。
【００４８】
本実施例では、図2に示すように、該方法は、さらに、以下のステップを含んでも良い。
【００４９】
ステップ203：ユーザ装置からビーム回復リクエスト情報を受信し；
ステップ204：該ビーム回復リクエスト情報に基づいて、伝送失敗が生じたビーム対及び／又は物理リソースを再び設定する。
【００５０】
本実施例では、あるグループの物理リソース及び／又はビーム対伝送失敗時に、ユーザ装置は、ビーム回復リクエストを送信する。また、あるグループのビーム対における一部のビーム対の伝送が失敗したときに、ユーザ装置は、先に１つのビーム回復リクエストを送信して該一部のビーム対を回復することもできる。
【００５１】
本実施例では、該ビーム回復リクエスト情報は、ユーザ装置が、任意の１グループの制御チャネルに対応する物理リソース及び／又はビーム対の伝送失敗を監視（検出）したときに、ネットワーク装置に送信したものである。なお、ユーザ装置側の処理ステップについて、実施例2で詳細に説明する。
【００５２】
本実施例では、該ビーム回復リクエスト情報は、伝送失敗が生じた物理リソース及び／又はビームに対応するビーム回復リクエスト情報であっても良く、このように、ネットワーク装置側では、対応関係を有する該ビームリクエストに基づいて、伝送失敗が生じたのはどのグループの物理リソース及び／又はビーム対であるかを把握することができ、これにより、該グループの制御チャネルを伝送するためのビーム対及び／又は物理リソースを再設定することができる。
【００５３】
上述の実施例から分かるように、ネットワーク装置側で、制御チャネルに対応する物理リソース及び／又は制御チャネルを伝送するビーム対のグループ分け情報を含む設定情報を送信し、ユーザ装置側で、該設定情報の内容に基づいて、又は、該設定情報の内容及び他の設定情報に基づいて、制御チャネルのグループに対応する物理リソース及び／又はビーム対の伝送状況を監視し、それに対応する制御チャネルの伝送状況を取得し、そして、任意の１グループの制御チャネルに対応する物理リソース及び／又はビーム対の伝送失敗に応じてビーム回復メカニズムをトリガーすることで、各種の伝送失敗の場合に柔軟且つタイムリーに対応することができる。
【実施例２】
【００５４】
本発明の実施例は、監視方法を提供し、該方法は、ユーザ装置側に応用され、それは、実施例1の情報設定方法のネットワーク装置側の処理に対応し、そのため、ここでは、実施例1と同じである内容の重複説明を省略する。図3は、本発明の実施例2の監視方法を示す図である。図3に示すように、該方法は、以下のようなステップを含む。
【００５５】
ステップ301：予め取得された、制御チャネルに対応する物理リソース及び／又は制御チャネルを伝送するビーム対のグループ分け情報を含む設定情報に基づいて、それぞれ、制御チャネルに対応する物理リソース及び／又は制御チャネルを伝送するビーム対を監視する。
【００５６】
本実施例では、該設定情報の具体的な内容が実施例1中の記載と同じであるため、ここでは、重複説明を省略する。
【００５７】
本実施例では、該設定情報は、予め取得されたものであり、それは、ネットワーク装置から受信したものであっても良く、予め設定されたものであっても良い。
【００５８】
本実施例では、ユーザ装置側で、該設定情報に基づいて、それぞれ、各グループ制御チャネルに対応する物理リソース及び／又は待監視ビーム対を監視し、例えば、該グループの制御チャネルのために設定した全てのビーム対の伝送状況を監視し、全てのビーム対のうち、伝送失敗が生じたビーム対の数が所定閾値に達したとき、該グループの制御チャネルが伝送失敗であると判断する。例えば、該所定閾値は、全てのビーム対の総数と設定されても良く、言い換えると、該グループの制御チャネルのために設定した全てのビーム対が全て伝送失敗であるときに、該グループの制御チャネルが伝送失敗であると判断する。
【００５９】
本実施例では、あるビーム対が伝送失敗であるかの判断は、例えば、受信パワーを検出することで判断することができ、例えば、該ビーム対の受信パワーが所定閾値よりも小さいときに、該ビーム対が伝送失敗であると認定しても良い。また、該所定閾値が全てのビーム対の総数よりも小さくても良く、該グループの制御チャネルのために設定したビーム対の失敗の数が該所定閾値に達したときに、該グループの制御チャネルが伝送失敗であると判断する。
【００６０】
本実施例では、該方法は、さらに、以下のようなステップを含んでも良い。
【００６１】
ステップ302：任意の１グループの制御チャネルに対応する物理リソース及び／又は任意の１グループの制御チャネルを伝送するビーム対の伝送失敗を監視（検出）したときに、ネットワーク装置にビーム回復リクエスト情報を送信する。
【００６２】
本実施例では、ネットワーク装置に送信するビーム回復リクエスト情報は、伝送失敗が生じた物理リソース及び／又はビーム対に対応するビーム回復リクエスト情報であっても良く、このように、ネットワーク装置側で、対応関係を有する該ビーム回復リクエスト情報に基づいて、伝送失敗が生じたのはどのグループの物理リソース及び／又はビーム対であるかを把握し、これにより、該グループのビーム対及び／又は物理リソースを再設定することができる。
【００６３】
例えば、前記ビーム回復リクエスト情報を送信するリソース又は周期又はシーケンスは、伝送失敗が生じた物理リソース及び／又はビーム対に対応する。例えば、前記ビーム回復リクエスト情報を送信するリソース又は周期又はシーケンスは、伝送失敗が生じた物理リソース及び／又はビーム対の順番号と関連付けられる。
【００６４】
例えば、該ビーム回復リクエスト情報を送信するためのプリアンブルシーケンスに対してグループ分けを行っても良く、例えば、ビーム回復リクエストのために設定したプリアンブルシーケンスの数が10であるときに、第1〜5個目のプリアンブルシーケンスを送信するときに、第1グループの物理リソース及び／又はビーム対の伝送失敗が生じていることを示し、第6〜10個目のプリアンブルシーケンスを送信するときに、第2グループの物理リソース及び／又はビーム対の伝送失敗が生じていることを示す。
【００６５】
例えば、該ビーム回復リクエスト情報を送信するためのリソースに対してグループ分けを行っても良く、例えば、該ビーム回復リクエスト情報を送信するためのリソースが第1グループのリソースであるときに、第1グループの物理リソース及び／又はビーム対に伝送失敗が生じていることを示し、該ビーム回復リクエスト情報を送信するためのリソースが第2グループのリソースであるときに、第2グループの物理リソース及び／又はビーム対に伝送失敗が生じていることを示す。
【００６６】
本実施例では、オプションとして、ステップ302の前に、該方法は、さらに、以下のようなステップを含んでも良い。
【００６７】
ステップ303：任意の１グループにおける一部の物理リソース及び／又は一部のビーム対の伝送失敗を監視（検出）したときに、ネットワーク装置に一部のビーム回復リクエスト情報を送信する。
【００６８】
本実施例では、一部のビーム対の伝送失敗が発生するときに送信する一部のビーム回復リクエストの送信方式は、ステップ302の送信方式とは異なり、例えば、スケジューリングリクエスト信号又は他のライセンスフリー上りリンクチャネルを用いても良い。同様に、一部のビーム回復リクエスト情報とグループの順番号との間に関連付けを確立することもできる。
【００６９】
上述の実施例から分かるように、ネットワーク装置側で、制御チャネルに対応する物理リソース及び／又は制御チャネルを伝送するビーム対のグループ分け情報を含む設定情報を送信し、ユーザ装置側で、該設定情報の内容に基づいて、又は、該設定情報の内容及び他の設定情報に基づいて、制御チャネルのグループに対応する物理リソース及び／又はビーム対の伝送状況を監視し、それに対応する制御チャネルの伝送状況を取得し、そして、任意の１グループの制御チャネルに対応する物理リソース及び／又はビーム対の伝送失敗に応じてビーム回復メカニズムをトリガーすることで、各種の伝送失敗の場合に柔軟且つタイムリーに対応することができる。
【実施例３】
【００７０】
本発明の実施例は、さらに、情報の設定及び該情報を用いて監視を行う方法を提供し、該方法は、ネットワーク装置側及びユーザ装置側に応用され、それは、実施例1の情報設定方法のネットワーク装置側及び実施例2の監視方法のユーザ装置側の処理に対応し、そのため、ここでは、実施例1及び実施例2と同じである内容の重複説明を割愛する。
【００７１】
図4は、本発明の実施例3の情報の設定及び該情報を用いて制御チャネルを監視する方法を示す図である。図4に示すように、該方法は、以下のようなステップを含む。
【００７２】
ステップ401：制御チャネルの類型、同一制御チャネルの異なるシンボル内での伝送の状況、又は制御チャネルを伝送するビーム対におけるビームの性質に基づいて、グループ分けを行い、グループ分け情報を取得し；
ステップ402：ネットワーク装置がユーザ装置に該グループ分け情報を含む設定情報を送信し；
ステップ403：ユーザ装置が該設定情報に基づいて、それぞれ、制御チャネルに対応する物理リソース及び／又は制御チャネルを伝送するビーム対を監視し；
ステップ404：任意の１グループの中の一部の物理リソース及び／又は一部のビーム対の伝送失敗を監視（検出）したときに、ネットワーク装置に一部のビーム回復リクエスト情報を送信し；
ステップ405：ネットワーク装置が該一部のビーム回復リクエスト情報に基づいて、伝送失敗が生じた一部のビーム対及び／又は一部の物理リソースを再設定し；
ステップ406：ネットワーク装置が、再設定した一部のビーム対及び／又は一部の物理リソースをユーザ装置に送信し；
ステップ407：ユーザ装置が任意の１グループの制御チャネルに対応する物理リソース及び／又は任意の１グループの制御チャネルを伝送するビーム対の伝送失敗を監視（検出）したときに、ユーザ装置は、ネットワーク装置にビーム回復リクエスト情報を送信し；
ステップ408：ネットワーク装置が該ビーム回復リクエスト情報に基づいて、伝送失敗が生じたビーム対及び／又は物理リソースを再設定し；
ステップ409：ネットワーク装置が、再設定したビーム対及び／又は物理リソースをユーザ装置に送信する。
【００７３】
本実施例では、ステップ401において、例えば、ネットワーク装置は、制御チャネルの類型又は同一制御チャネルの異なるシンボル内での伝送の状況に基づいて、制御チャネルのグループ分けを行い、グループ分け情報を取得することができる。
【００７４】
本実施例では、ステップ404、ステップ405及びステップ406は、選択可能なステップである。
【００７５】
上述の実施例から分かるように、ネットワーク装置側で、制御チャネルに対応する物理リソース及び／又は制御チャネルを伝送するビーム対のグループ分け情報を含む設定情報を送信し、ユーザ装置側で、該設定情報の内容に基づいて、又は、該設定情報の内容及び他の設定情報に基づいて、制御チャネルのグループに対応する物理リソース及び／又はビーム対の伝送状況を監視し、それに対応する制御チャネルの伝送状況を取得し、そして、任意の１グループの制御チャネルに対応する物理リソース及び／又はビーム対の伝送失敗に応じてビーム回復メカニズムをトリガーすることで、各種の伝送失敗の場合に柔軟且つタイムリーに対応することができる。
【実施例４】
【００７６】
本発明の実施例は、さらに、情報設定装置を提供し、該装置は、実施例1に記載の情報設定方法に対応するため、その具体的な実施は、実施例1の情報設定方法の実施を参照することができ、ここでは、重複記載が省略される。
【００７７】
図5は、本発明の実施例4の情報設定装置を示す図である。図5に示すように、該装置500は、以下のようなものを含む。
【００７８】
第一送信ユニット501：ユーザ装置に制御チャネルを監視するための設定情報を送信し、該設定情報は、制御チャネルに対応する物理リソース及び／又は制御チャネルを伝送するビーム対のグループ分け情報を含む。
【００７９】
本実施例では、該設定情報の具体的な内容は、実施例1中の記載を参照することができ、ここでは、その詳しい説明を割愛する。
【００８０】
本実施例では、図5に示すように、オプションとして、該装置500は、さらに、以下のようなものを含んでも良い。
【００８１】
第一設定ユニット502：制御チャネルの類型、同一制御チャネルの異なるシンボル内での伝送の状況、又は前記制御チャネルを伝送するビーム対におけるビームの性質に基づいて、グループ分けを行い、該グループ分け情報を得る。
【００８２】
本実施例では、該装置500は、さらに、以下のようなものを含んでも良い。
【００８３】
第一受信ユニット503：ユーザ装置からビーム回復リクエスト情報を受信し；
第二設定ユニット504：該ビーム回復リクエスト情報に基づいて、伝送失敗が生じたビーム対及び／又は物理リソースを再び設定する。
【００８４】
上述の実施例から分かるように、ネットワーク装置側で、制御チャネルに対応する物理リソース及び／又は制御チャネルを伝送するビーム対のグループ分け情報を含む設定情報を送信し、ユーザ装置側で、該設定情報の内容に基づいて、又は、該設定情報の内容及び他の設定情報に基づいて、制御チャネルのグループに対応する物理リソース及び／又はビーム対の伝送状況を監視し、それに対応する制御チャネルの伝送状況を取得し、そして、任意の１グループの制御チャネルに対応する物理リソース及び／又はビーム対の伝送失敗に応じてビーム回復メカニズムをトリガーすることで、各種の伝送失敗の場合に柔軟且つタイムリーに対応することができる。
【実施例５】
【００８５】
本発明の実施例は、さらに、監視装置を提供し、該装置は、実施例2に記載の制御チャネル監視方法に対応するで、その具体的な実施は、実施例2の制御チャネル監視方法の実施を参照することでき、ここでは、重複記載を省略する。
【００８６】
図6は、本発明の実施例5の制御チャネル監視装置を示す図である。図6に示すように、該装置600は、以下のようなものを含む。
【００８７】
監視ユニット601：予め取得された、制御チャネルに対応する物理リソース及び／又は制御チャネルを伝送するビーム対のグループ分け情報を含む設定情報に基づいて、それぞれ、制御チャネルに対応する物理リソース及び／又は制御チャネルを伝送するビーム対を監視する。
【００８８】
本実施例では、該設定情報の具体的な内容は、実施例1中の記載を参照することができ、ここでは、その詳しい説明を割愛する。
【００８９】
本実施例では、図6に示すように、該装置600は、さらに、以下のものを含んでも良い。
【００９０】
第二送信ユニット602：前記監視ユニットが、任意の１グループの制御チャネルに対応する物理リソース及び／又は任意の１グループの前記制御チャネルを伝送するビーム対の伝送失敗を監視したときに、ネットワーク装置にビーム回復リクエスト情報を送信する。
【００９１】
本実施例では、図6に示すように、オプションとして、該装置600は、さらに、以下のようなものを含んでも良い。
【００９２】
第三送信ユニット603：任意の１グループの中の一部の物理リソース及び／又は一部のビーム対の伝送失敗を監視したときに、ネットワーク装置に一部のビーム回復リクエスト情報を送信する。
【００９３】
上述の実施例から分かるように、ネットワーク装置側で、制御チャネルに対応する物理リソース及び／又は制御チャネルを伝送するビーム対のグループ分け情報を含む設定情報を送信し、ユーザ装置側で、該設定情報の内容に基づいて、又は、該設定情報の内容及び他の設定情報に基づいて、制御チャネルのグループに対応する物理リソース及び／又はビーム対の伝送状況を監視し、それに対応する制御チャネルの伝送状況を取得し、そして、任意の１グループの制御チャネルに対応する物理リソース及び／又はビーム対の伝送失敗に応じてビーム回復メカニズムをトリガーすることで、各種の伝送失敗の場合に柔軟且つタイムリーに対応することができる。
【実施例６】
【００９４】
本発明の実施例は、ネットワーク装置を提供し、該ネットワーク装置は、実施例4に記載の情報設定装置を含む。
【００９５】
図7は、本発明の実施例のネットワーク装置の構成図である。図7に示すように、ネットワーク装置700は、処理器（processor）710及び記憶器720を含み、記憶器720は、処理器710に接続される。そのうち、該記憶器720は、各種のデータを記憶することができ、また、さらに情報処理用のプログラム730を記憶し、且つ処理器710の制御下で該プログラム730を実行することで、ユーザ装置送信の各種情報を受信し、且つユーザ装置にリクエストを送信することもできる。
【００９６】
１つの実施方式では、情報設定装置の機能は、処理器710に統合することができる。そのうち、処理器710は、次のように設定されても良く、即ち、ユーザ装置に設定情報を送信し、前記設定情報は、制御チャネルに対応する物理リソース及び／又は制御チャネルを伝送するビーム対のグループ分け情報を含む。
【００９７】
例えば、前記物理リソースは、前記制御チャネルの所在する制御リソース集合又は前記制御チャネルの復調参照信号の所在する物理リソースを含む。
【００９８】
例えば、前記ユーザ装置に設定情報を送信することは、無線リソース制御層又は媒体アクセス制御層の制御エレメント、及び下りリンク制御情報により、ユーザ装置に前記設定情報を送信することを含み、そのうち、前記下りリンク制御情報は、無線リソース制御層又は媒体アクセス制御層の制御エレメントにより送信されるグループ分け情報のうちから、少なくとも１グループの物理リソース及び／又は制御チャネルを伝送するビーム対を選択してユーザ装置に対して設定を行うために用いられる。
【００９９】
例えば、処理器710は、さらに、次のように設定されても良く、即ち、制御チャネルの類型、同一制御チャネルの異なるシンボル内での伝送の状況、又は前記制御チャネルを伝送するビーム対におけるビームの性質に基づいて、グループ分けを行い、前記グループ分け情報を得る。
【０１００】
例えば、処理器710は、さらに、次のように設定されても良く、即ち、ユーザ装置からビーム回復リクエスト情報を受信し、前記ビーム回復リクエスト情報に基づいて、伝送失敗が生じたビーム対及び／又は物理リソースを再び設定する。
【０１０１】
他の実施方式では、情報設定装置は、処理器710と別々に構成されても良く、例えば、情報設定装置を、処理器710に接続されるチップとして構成し、処理器710の制御により情報設定装置の機能を実現しても良い。
【０１０２】
また、図7に示すように、ネットワーク装置700は、さらに、送受信機740、アンテナ750などを含んでも良く、そのうち、これらの部品の機能は、従来技術に類似しているため、ここでは、その詳細な説明を割愛する。なお、ネットワーク装置700は、図7中の全ての部品を含む必要がない。また、ネットワーク装置700は、さらに、図7にない部品を含んでも良く、これについては、従来技術を参照することができる。
【０１０３】
上述の実施例から分かるように、ネットワーク装置側で、制御チャネルに対応する物理リソース及び／又は制御チャネルを伝送するビーム対のグループ分け情報を含む設定情報を送信し、ユーザ装置側で、該設定情報の内容に基づいて、又は、該設定情報の内容及び他の設定情報に基づいて、制御チャネルのグループに対応する物理リソース及び／又はビーム対の伝送状況を監視し、それに対応する制御チャネルの伝送状況を取得し、そして、任意の１グループの制御チャネルに対応する物理リソース及び／又はビーム対の伝送失敗に応じてビーム回復メカニズムをトリガーすることで、各種の伝送失敗の場合に柔軟且つタイムリーに対応することができる。
【実施例７】
【０１０４】
本発明の実施例は、ユーザ装置を提供し、該ユーザ装置は、実施例5に記載の監視装置を含む。
【０１０５】
図8は、本発明の実施例のユーザ装置のシステム構成図である。図8に示すように、該ユーザ装置800は、処理器810及び記憶器820を含み、記憶器820は、処理器810に接続される。なお、該図は、例示に過ぎず、さらに、該構造に対して、他の類型の結構を以て補充又は代替を行って、電気通信機能又は他の機能を実現することもできる。
【０１０６】
１つの実施方式では、監視装置の機能は、処理器810に集積することができる。そのうち、処理器810は、次のように構成されても良く、即ち、予め取得された、制御チャネルに対応する物理リソース及び／又は制御チャネルを伝送するビーム対のグループ分け情報を含む設定情報に基づいて、それぞれ、制御チャネルに対応する物理リソース及び／又は制御チャネルを伝送するビーム対を監視する。
【０１０７】
例えば、前記物理リソースは、前記制御チャネルの所在する制御リソース集合又は前記制御チャネルの復調参照信号の所在する物理リソースを含む。
【０１０８】
例えば、処理器810は、さらに、次のように構成されても良く、即ち、前記監視ユニットが任意の１グループの制御チャネルに対応する物理リソース及び／又は任意の１グループの前記制御チャネルを伝送するビーム対の伝送失敗を監視したときに、ネットワーク装置にビーム回復リクエスト情報を送信する。
【０１０９】
例えば、処理器810は、さらに、次のように構成されても良く、即ち、任意の１グループの中の一部の物理リソース及び／又は一部のビーム対の伝送失敗を監視したときに、ネットワーク装置に一部のビーム回復リクエスト情報を送信する。
【０１１０】
他の実施方式では、監視装置は、処理器810と独立して構成されても良く、例えば、監視装置を、処理器810に接続されるチップとして構成し、処理器810の制御により監視装置の機能を実現しても良い。
【０１１１】
図8に示すように、該ユーザ装置800は、さらに、通信モジュール830、入力ユニット840、表示器850、電源860などを含んでも良い。なお、ユーザ装置800は、図8中の全ての部品を含む必要がない。また、ユーザ装置800は、さらに、図8にない部品を含んでも良く、これについては、従来技術を参照することができる。
【０１１２】
図8に示すように、処理器810は、制御器又は操作コントローラと称される場合があり、マイクロプロセッサ又は他の処理器装置及び／又は論理装置を含んでも良く、該処理器810は、入力を受信してユーザ装置800の各部品の操作を制御することができる。
【０１１３】
そのうち、記憶器820は、例えば、バッファ、フレッシュメモリ、HDD、移動可能な媒体、揮発性記憶器、不揮発性記憶器又は他の適切な装置のうちの一つ又は複数であっても良く、各種のデータを記憶することができ、また、さらに情報処理用のプログラムを記憶することができる。処理器810は、該記憶器820に記憶の該プログラムを、情報の記憶又は処理などを実現するように実行することができる。他の部品の機能は、従来技術に類似しているため、ここでは、その詳しい説明を割愛する。なお、ユーザ装置800の各部品は、専用ハードウェア、ファームウェア、ソフトウェア又はその組み合わせにより実現することもでき、その全ては、本発明の範囲に属する。
【０１１４】
上述の実施例から分かるように、ネットワーク装置側で、制御チャネルに対応する物理リソース及び／又は制御チャネルを伝送するビーム対のグループ分け情報を含む設定情報を送信し、ユーザ装置側で、該設定情報の内容に基づいて、又は、該設定情報の内容及び他の設定情報に基づいて、制御チャネルのグループに対応する物理リソース及び／又はビーム対の伝送状況を監視し、それに対応する制御チャネルの伝送状況を取得し、そして、任意の１グループの制御チャネルに対応する物理リソース及び／又はビーム対の伝送失敗に応じてビーム回復メカニズムをトリガーすることで、各種の伝送失敗の場合に柔軟且つタイムリーに対応することができる。
【実施例８】
【０１１５】
本発明の実施例は、さらに、通信システムを提供し、それは、実施例6に記載のネットワーク装置及び実施例7に記載のユーザ装置を含む。例えば、該通信システムの構成は、図1を参照することができ、図1に示すように、通信システム100は、ネットワーク装置101及びユーザ装置102を含み、ネットワーク装置101の構成及び機能は、実施例6に記載のようであり、ユーザ装置102の構成及び機能は、実施例7に記載のようであるため、ここでは、その詳しい説明を割愛する。
【０１１６】
上述の実施例から分かるように、ネットワーク装置側で、制御チャネルに対応する物理リソース及び／又は制御チャネルを伝送するビーム対のグループ分け情報を含む設定情報を送信し、ユーザ装置側で、該設定情報の内容に基づいて、又は、該設定情報の内容及び他の設定情報に基づいて、制御チャネルのグループに対応する物理リソース及び／又はビーム対の伝送状況を監視し、それに対応する制御チャネルの伝送状況を取得し、そして、任意の１グループの制御チャネルに対応する物理リソース及び／又はビーム対の伝送失敗に応じてビーム回復メカニズムをトリガーすることで、各種の伝送失敗の場合に柔軟且つタイムリーに対応することができる。
【０１１７】
本発明の以上のユーザ装置及び方法は、ソフトウェア又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述のユーザ装置又は構造部品を実現させ、又は、該ロジック部品に、上述の各種の方法又はステップを実現させる。ロジック部品は、例えば、FPGA（Field  Programmable  Gate  Array）、マイクロプロセッサ、コンピュータに用いる処理器などであっても良い。本発明は、さらに、上述のプログラムを記憶した記憶媒体、例えば、ハードディスク、磁気ディスク、光ハードディスク、DVD、フラッシュメモリなどにも関する。
【０１１８】
また、図面に記載の機能ブロックのうちの１つ又は複数の組み合わせ及び／又は機能ブロックの１つ又は複数の組み合わせは、本願に記載の機能を実行するための汎用処理器、デジタル信号処理器（DSP）、専用集積バックホール（ASIC）、フィールドプログラマブルゲートアレイ（FPGA）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、DSP及びマイクロプロセッサの組み合わせ、複数のマイクロプロセッサ、DSPと通信により接続される１つ又は複数のマイクロプロセッサ又は他の任意のこのような構成として構成されても良い。
【０１１９】
以上、本発明の好ましい実施形態を説明したが、本発明はこのような実施形態に限定されず、本発明の趣旨を離脱しない限り、本発明に対するあらゆる変更は本発明の技術の範囲に属する。
【０１２０】
また、以上の実施例などに関して、さらに次のように付記を開示する。
【０１２１】
（付記1）
チャネル設定装置であって、
ユーザ装置の設定情報を送信する第一送信ユニットを含み、
前記設定情報は、制御チャネルに対応する物理リソース及び／又は制御チャネルを伝送するビーム対のグループ分け情報を含む、装置。
【０１２２】
（付記2）
付記1に記載の装置であって、
前記物理リソースは、前記制御チャネルの所在する制御リソース集合又は前記制御チャネルの復調参照信号の所在する物理リソースを含む、装置。
【０１２３】
（付記3）
付記1に記載の装置であって、
前記第一送信ユニットは、無線リソース制御層又は媒体アクセス制御層の制御エレメント、及び下りリンク制御情報により、ユーザ装置に前記設定情報を送信し、
前記下りリンク制御情報は、無線リソース制御層又は媒体アクセス制御層の制御エレメントにより送信されるグループ分け情報のうちから少なくとも１グループの物理リソース及び／又は制御チャネルを伝送するビーム対を選択してユーザ装置に対して設定を行うために用いられる、装置。
【０１２４】
（付記4）
付記1に記載の装置であって、
第一設定ユニットをさらに含み、それは、制御チャネルの類型、同一制御チャネルの異なるシンボル内での伝送の状況、又は前記制御チャネルを伝送するビーム対におけるビームの性質に基づいて、グループ分けを行い、前記グループ分け情報を得る、装置。
【０１２５】
（付記5）
付記1に記載の装置であって、さらに、
ユーザ装置からビーム回復リクエスト情報を受信する第一受信ユニット；及び
前記ビーム回復リクエスト情報に基づいて、伝送失敗が生じたビーム対及び／又は物理リソースを再び設定する第二設定ユニットを含む、装置。
【０１２６】
（付記6）
監視装置であって、
監視ユニットを含み、それは、予め取得された、制御チャネルに対応する物理リソース及び／又は制御チャネルを伝送するビーム対のグループ分け情報を含む設定情報に基づいて、それぞれ、制御チャネルに対応する物理リソース及び／又は制御チャネルを伝送するビーム対を監視する、装置。
【０１２７】
（付記7）
付記6に記載の装置であって、
前記物理リソースは、前記制御チャネルの所在する制御リソース集合又は前記制御チャネルの復調参照信号の所在する物理リソースを含む、装置。
【０１２８】
（付記8）
付記6に記載の装置であって、
第二送信ユニットをさらに含み、それは、前記監視ユニットが任意の１グループの制御チャネルに対応する物理リソース及び／又は任意の１グループの前記制御チャネルを伝送するビーム対の伝送失敗を監視したときに、ネットワーク装置にビーム回復リクエスト情報を送信する、装置。
【０１２９】
（付記9）
付記8に記載の装置であって、
前記ビーム回復リクエスト情報を送信するリソース又は周期又はシーケンスは、伝送失敗が生じた物理リソース及び／又はビーム対に対応する、装置。
【０１３０】
（付記10）
付記6に記載の装置であって、
第三送信ユニットをさらに含み、それは、任意の１グループの中の一部の物理リソース及び／又は一部のビーム対の伝送失敗が検出されたときに、ネットワーク装置に一部のビーム回復リクエスト情報を送信する、装置。
【０１３１】
（付記11）
通信システムであって、
ネットワーク装置及びユーザ装置を含み、
前記ネットワーク装置は、付記1-5中の任意の一項に記載の装置を含み、前記ユーザ装置は、付記6-10中の任意の一項に記載の装置を含む、システム。
【０１３２】
（付記12）
チャネル設定方法であって、
ユーザ装置に設定情報を送信することを含み、
前記設定情報は、制御チャネルに対応する物理リソース及び／又は制御チャネルを伝送するビーム対のグループ分け情報を含む、方法。
【０１３３】
（付記13）
付記12に記載の方法であって、
前記物理リソースは、前記制御チャネルの所在する制御リソース集合又は前記制御チャネルの復調参照信号の所在する物理リソースを含む、方法。
【０１３４】
（付記14）
付記12に記載の方法であって、
ユーザ装置に設定情報を送信することは、
無線リソース制御層又は媒体アクセス制御層の制御エレメント、及び下りリンク制御情報により、ユーザ装置に前記設定情報を送信することを含み、
前記下りリンク制御情報は、無線リソース制御層又は媒体アクセス制御層の制御エレメントにより送信されるグループ分け情報のうちから少なくとも１グループの物理リソース及び／又は制御チャネルを伝送するビーム対を選択してユーザ装置に対して設定を行うために用いられる、方法。
【０１３５】
（付記15）
付記12に記載の方法であって、
制御チャネルの類型、同一制御チャネルの異なるシンボル内での伝送の状況、又は前記制御チャネルを伝送するビーム対におけるビームの性質に基づいて、グループ分けを行い、前記グループ分け情報を得ることをさらに含む、方法。
【０１３６】
（付記16）
付記12に記載の方法であって、
ユーザ装置からビーム回復リクエスト情報を受信し；及び
前記ビーム回復リクエスト情報に基づいて、伝送失敗が生じたビーム対及び／又は物理リソースを再び設定することをさらに含む、方法。
【０１３７】
（付記17）
監視方法であって、
予め取得された、制御チャネルに対応する物理リソース及び／又は制御チャネルを伝送するビーム対のグループ分け情報を含む設定情報に基づいて、それぞれ、制御チャネルに対応する物理リソース及び／又は制御チャネルを伝送するビーム対を監視することを含む、方法。
【０１３８】
（付記18）
付記17に記載の監視方法であって、
前記物理リソースは、前記制御チャネルの所在する制御リソース集合又は前記制御チャネルの復調参照信号の所在する物理リソースを含む、方法。
【０１３９】
（付記19）
付記17に記載の監視方法であって、
任意の１グループの制御チャネルに対応する物理リソース及び／又は任意の１グループの前記制御チャネルを伝送するビーム対の伝送失敗が検出されたときに、ネットワーク装置にビーム回復リクエスト情報を送信することをさらに含む、方法。
【０１４０】
（付記20）
付記19に記載の監視方法であって、
前記ビーム回復リクエスト情報を送信するリソース又は周期又はシーケンスは、伝送失敗が生じた物理リソース及び／又はビーム対に対応する、方法。
【０１４１】
（付記21）
付記17に記載の監視方法であって、
任意の１グループの中の一部の物理リソース及び／又は一部のビーム対の伝送失敗が検出されたときに、ネットワーク装置に一部のビーム回復リクエスト情報を送信することをさらに含む、方法。
【図１】
2020515103.tif 000003
【図２】
2020515103.tif 000004
【図３】
2020515103.tif 000005
【図４】
2020515103.tif 000006
【図５】
2020515103.tif 000007
【図６】
2020515103.tif 000008
【図７】
2020515103.tif 000009
【図８】
2020515103.tif 000010
【国際調査報告】
2020515103.tif 000011
2020515103.tif 000012
2020515103.tif 000013
2020515103.tif 000014